(57)【要約】【課題】ユーザに、有益な情報を容易に理解できるような態様で与える。【解決手段】受信装置において、番組配列情報受信処理では、Ｓ６１で、最初に入手された番組配列情報（ＳＩ：Ｓｅｒｖｉｃｅ　Ｉｎｆｏｒｍａｔｉｏｎ）が基準とされ、現時点のＳＩはバージョンが更新されているか否かが判断される。更新されている場合は、Ｓ６２で、基準と現時点のＳＩでの現在放送中の番組の開始時間の差Ａが算出される。Ｓ６３で開始時間に変更があった（Ａが０ではない）と判断されると、Ｓ６４で、Ａがずれ時間としてメモリに保存されかつ当該ずれ時間が画面に表示される。Ｓ６３で開始時間に変更がなかったと判断されると、Ｓ６５で、基準と現時点のＳＩでの現在放送中の番組の時間長の差Ｂが算出される。Ｓ６６で時間長に変更があった（Ｂが０でない）と判断されると、Ｓ６７で、Ｂをずれ時間としてメモリに保存するとともに当該ずれ時間が画面に表示される。【選択図】　　　　図５
2004120388.tif 000002
【特許請求の範囲】
【請求項１】
所定の表示装置に表示させる画像情報についてのチャンネルを選局する情報を受付ける情報受付部と、
前記選局情報受信部で受付けた情報において選局されているチャンネルの番組の、ディジタル情報である画像情報およびＥＰＧ（Ｅｌｅｃｔｒｏｎｉｃ　Ｐｒｏｇｒａｍ　Ｇｕｉｄｅ）を含む情報を選択して受信する受信部と、
前記受信部で受信した番組の画像情報を記録媒体に記録する記録部と、
前記番組情報受信部が受信したＥＰＧの中から、前記所定の表示装置に表示させる番組の放送時間情報である第１の放送時間情報および前記記録部によって画像情報を記録される番組についての番組の放送時間情報である第２の放送時間情報を抽出する抽出部と、
前記受信部が受信した前記番組の画像情報を、前記所定の表示装置に表示させる画像情報表示部と、
前記抽出部が抽出した前記第１および前記第２の放送時間情報が予定の時間からずれている場合には、当該ずれている時間に対応する情報を、前記所定の表示装置に前記番組の画像情報とともに、一定時間のみ表示させる、ずれ時間表示部とを含み、
前記抽出部による放送時間情報の抽出、前記画像情報表示部による画像情報の表示、および、前記ずれ時間表示部による前記ずれている時間に対応する情報の表示は、前記情報受付部がチャンネルを選局する情報を受付けるたびに実行される、ディジタル放送受信装置。
【請求項２】
所定の表示装置に表示させる画像情報についてのチャンネルを選局する情報を受付ける情報受付部と、
前記選局情報受信部で受付けた情報において選局されているチャンネルの番組の、画像情報および番組情報を含む情報を、選択して受信する受信部と、
前記番組情報受信部が受信した番組情報の中から放送時間情報を抽出する抽出部と、
前記受信部が受信した前記番組の画像情報を、前記所定の表示装置に表示させる画像情報表示部と、
前記抽出部が抽出した放送時間情報が予定の時間からずれている場合には、当該ずれている時間に対応する情報を、前記番組の画像情報と同時に視認可能に表示させるずれ時間表示部とを含む、放送信号受信装置。
【請求項３】
前記時間表示部は、ずれている時間に対応する情報を、前記所定の表示装置に前記番組の画像情報とともに表示させる、請求項２に記載の放送信号受信装置。
【請求項４】
前記ずれ時間表示部は、前記ずれている時間に対応する情報を、一定時間のみ表示させる、請求項２または請求項３に記載の放送信号受信装置。
【請求項５】
前記番組情報は、ＥＰＧである、請求項２または請求項４に記載の放送信号受信装置。
【請求項６】
前記抽出部による放送時間情報の抽出、前記画像情報表示部による画像情報の表示、および、前記ずれ時間表示部による前記ずれている時間に対応する情報の表示は、前記情報受付部がチャンネルを選局する情報を受付けるたびに実行される、請求項２〜請求項５のいずれかに記載の放送信号受信装置。
【請求項７】
前記受信部で受信した番組の画像情報を記録媒体に記録する記録部をさらに含み、
前記抽出部は、前記記録部によって画像情報を記録される番組についての番組情報の中から放送時間情報を抽出し、
前記ずれ時間表示部は、前記記録部によって画像情報を記録される番組についての放送時間情報が予定の時間からずれている場合、当該ずれている時間に対応する情報を、前記所定の表示装置に、前記受信部により受信され当該所定の表示装置に表示されている画像情報とともに、表示させる、請求項２〜請求項６のいずれかに記載の放送信号受信装置。
【発明の詳細な説明】
【０００１】
【発明の属する技術分野】
本発明は、ディジタル放送受信装置および放送信号受信装置に関し、特に、番組情報を表示できるディジタル放送受信装置および放送信号受信装置に関する。
【０００２】
【従来の技術】
従来、特許文献１のように、テレビジョンの放送について、放送中のチャンネル番号を、チャンネル変更後一定時間だけ画面に表示させる技術が開示されている。
【０００３】
特許文献２および特許文献３のように、ディジタル放送について、放送時間等の番組情報を表示させるために、番組情報用の画面を表示させる技術が開示されていた。これらの技術では、ＥＰＧ（Ｅｌｅｃｔｒｏｎｉｃ　Ｐｒｏｇｒａｍ　Ｇｕｉｄｅ）データを用いて、番組情報用画面の表示情報を作成していた。
【０００４】
【特許文献１】
特許第２７３２６３８号公報
【０００５】
【特許文献２】
特開２００１‐２３０９８２公報
【０００６】
【特許文献３】
特開２００１‐１１１９０９公報
【０００７】
【発明が解決しようとする課題】
なお、従来から、野球中継等のような予定時間を延長して放送される番組の後の番組は、放送開始時間が遅れることがあった。そして、従来から、このように番組の放送開始時間が遅れる場合、ユーザがその旨を容易に理解できるような対処が望まれていた。
【０００８】
しかしながら、特許文献１に開示された技術では、送られてきた番組識別信号に基づいた情報をそのまま表示させるだけで、必ずしも、ユーザに与えるに適した情報を表示できるとは言えなかった。
【０００９】
また、特許文献２および特許文献３に開示された技術では、番組情報用の画面は、番組画面とは別に表示されるものであるため、ユーザは、当該番組情報用の画面を番組画面とはわざわざ別に見る必要があり、煩雑な作業を必要とされた。
【００１０】
本発明は、かかる実情に鑑み考え出されたものであり、その目的は、ユーザに、有益な情報を容易に理解できるような態様で与えることのできるディジタル放送受信装置および放送信号受信装置を提供することである。
【００１１】
【課題を解決するための手段】
本発明に従ったディジタル放送受信装置は、所定の表示装置に表示させる画像情報についてのチャンネルを選局する情報を受付ける情報受付部と、前記選局情報受信部で受付けた情報において選局されているチャンネルの番組の、ディジタル情報である画像情報およびＥＰＧを含む情報を選択して受信する受信部と、前記受信部で受信した番組の画像情報を記録媒体に記録する記録部と、前記番組情報受信部が受信したＥＰＧの中から、前記所定の表示装置に表示させる番組の放送時間情報である第１の放送時間情報および前記記録部によって画像情報を記録される番組についての番組の放送時間情報である第２の放送時間情報を抽出する抽出部と、前記受信部が受信した前記番組の画像情報を、前記所定の表示装置に表示させる画像情報表示部と、前記抽出部が抽出した前記第１および前記第２の放送時間情報が予定の時間からずれている場合には、当該ずれている時間に対応する情報を、前記所定の表示装置に前記番組の画像情報とともに、一定時間のみ表示させる、ずれ時間表示部とを含み、前記抽出部による放送時間情報の抽出、前記画像情報表示部による画像情報の表示、および、前記ずれ時間表示部による前記ずれている時間に対応する情報の表示は、前記情報受付部がチャンネルを選局する情報を受付けるたびに実行されることを特徴とする。
【００１２】
本発明に従った放送信号受信装置は、所定の表示装置に表示させる画像情報についてのチャンネルを選局する情報を受付ける情報受付部と、前記選局情報受信部で受付けた情報において選局されているチャンネルの番組の画像情報および番組情報を、選択して受信する受信部と、前記番組情報受信部が受信した番組情報の中から放送時間情報を抽出する抽出部と、前記受信部が受信した前記番組の画像情報を、前記所定の表示装置に表示させる画像情報表示部と、前記抽出部が抽出した放送時間情報が予定の時間からずれている場合には、当該ずれている時間に対応する情報を、前記番組の画像情報と同時に視認可能に表示させるずれ時間表示部とを含むことを特徴とする。
【００１３】
また、本発明の放送信号受信装置では、前記時間表示部は、ずれている時間に対応する情報を、前記所定の表示装置に前記番組の画像情報とともに表示させることが好ましい。
【００１４】
また、本発明の放送信号受信装置では、前記ずれ時間表示部は、前記ずれている時間に対応する情報を、一定時間のみ表示させることが好ましい。
【００１５】
また、本発明の放送信号受信装置では、前記番組情報は、ＥＰＧであることが好ましい。
【００１６】
また、本発明の放送信号受信装置では、前記抽出部による放送時間情報の抽出、前記画像情報表示部による画像情報の表示、および、前記ずれ時間表示部による前記ずれている時間に対応する情報の表示は、前記情報受付部がチャンネルを選局する情報を受付けるたびに実行される、請求項２〜請求項５のいずれかに記載の放送信号受信装置。
【００１７】
また、本発明の放送信号受信装置は、前記受信部で受信した番組の画像情報を記録媒体に記録する記録部をさらに含み、前記抽出部は、前記記録部によって画像情報を記録される番組についての番組情報の中から放送時間情報を抽出し、前記ずれ時間表示部は、前記記録部によって画像情報を記録される番組についての放送時間情報が予定の時間からずれている場合、当該ずれている時間に対応する情報を、前記所定の表示装置に、前記受信部により受信され当該所定の表示装置に表示されている画像情報とともに、表示させることが好ましい。
【００１８】
【発明の実施の形態】
以下、本発明の実施の形態について図面を参照して詳細に説明する。
【００１９】
［第１の実施の形態］
図１は、本発明の第１の実施の形態である受信装置１の構成を周辺部とともに示す図である。受信装置１は、アンテナ２から受信した放送信号のうち、所望されるチャンネルに対応の信号についてＥＰＧ情報獲得を含む処理をして、テレビジョン受像機などの表示部３に画面表示する。また、受信装置１は、獲得されたＥＰＧ情報を用いて、後述するような放送時間のずれについての情報を表示する。
【００２０】
受信装置１は、アンテナ２を介して受信した放送信号から、ユーザが所望したチャンネルに対応の信号を選択的に抽出するチューナ１１、ＣＰＵ（Ｃｅｎｔｒａｌ　Ｐｒｏｃｅｓｓｉｎｇ　Ｕｎｉｔ）１７およびメモリ１８を含む制御部１２、チューナ１１により抽出された所望チャンネルに対応の信号について、受信装置１にて処理可能な信号に変換する受信処理部１３、図示されないフロントパネルに設けられて、ユーザにより操作されるボタンなどの操作部１４、リモコン（リモートコントローラの略）４から赤外線信号を受信するリモコン受信部１５、および、ＯＳＤ（ｏｎ　ｓｃｒｅｅｎ　ｄｉｓｐｌａｙ）を含む表示処理部１６を備える。
【００２１】
ユーザが操作部１４を操作して、またはリモコン４を操作しリモコン受信部１５を介して、所望チャンネルを選択的に指定すると、指定されたチャンネルの情報は制御部１２に与えられる。制御部１２のＣＰＵ１７は、与えられた所望チャンネルの情報に基づいてチューナ１１を、受信した放送信号から該所望チャンネルに対応の信号を抽出するように制御する。
【００２２】
受信装置１は、ＡＴＳＣ（Ａｄｖａｎｃｅｄ　Ｔｅｌｅｖｉｓｉｏｎ　Ｓｔａｎｄａｒｄｓ　Ｃｏｍｍｉｔｔｅｅ）信号とＮＴＳＣ（Ｎａｔｉｏｎａｌ　Ｔｅｌｅｖｉｓｉｏｎ　Ｓｙｓｔｅｍ　Ｃｏｍｍｉｔｔｅｅ　ｓｔａｎｄａｒｄ）信号とを受信可能である。ＡＴＳＣ信号にはＶＣＴ（Ｖｉｒｔｕａｌ　Ｃｈａｎｎｅｌ　Ｔａｂｌｅ）、ＥＩＴ（Ｅｖｅｎｔ　Ｉｎｆｏｒｍａｔｉｏｎ　Ｔａｂｌｅ）およびＥＴＴ（Ｅｘｔｅｎｄｅｄ　Ｔｅｘｔ　Ｔａｂｌｅ）という番組情報が含まれているため、受信したＡＴＳＣ信号からこれらを獲得することにより、受信装置１においてＥＰＧ情報の獲得がなされる。
【００２３】
ＮＴＳＣ信号には、ＶＢＩ（Ｖｅｒｔｉｃａｌ　Ｂｌａｎｋｉｎｇ　Ｉｎｔｅｒｖａｌ）において番組に関するデジタル情報が含まれているので、このデジタル情報を獲得することにより、ＮＴＳＣ信号に係る番組についてＥＰＧ情報の獲得がなされる。受信処理部１３はチューナ１１を介して抽出された所望チャンネルに対応のＡＴＳＣ信号またはＮＴＳＣ信号のそれぞれを入力して処理する機能を有する。受信処理部１３は、ＡＴＳＣ信号およびＮＴＳＣ信号のそれぞれからＥＰＧ情報を獲得するための処理を行ない、獲得したＥＰＧ情報を制御部１２に与える。
【００２４】
制御部１２のＣＰＵ１７は与えられたＥＰＧ情報に基づいて、番組情報のイメージデータを作成して、表示処理部１６に与える。表示処理部１６のＯＳＤは、与えられたイメージデータによる文字や図形を表示部３の画面に重ね合せて表示するように処理する。
【００２５】
また、受信装置１は、後述するように放送のずれ時間を算出するための演算部１９を備えている。
【００２６】
図２は、ＣＰＵ１７による、表示部３における表示動作を制御するための処理である表示制御処理のフローチャートである。
【００２７】
ＣＰＵ１７は、表示部３におけるチャンネルを指定しかつ当該チャンネルの番組の表示を開始する旨を操作部１４の操作またはリモコン４を用いたリモコン受信部１５から受付けると、ステップＳ１（以下、ステップを省略する）で、対応の信号を抽出する動作（以下、ＴＵＮＥ動作という）を開始させる。
【００２８】
ＣＰＵ１７は、ＴＵＮＥ動作中にもチャンネルの切換操作がされるか否か、すなわちユーザにより別チャンネルへの切換操作がなされるか否かを検出する（Ｓ２）。チャンネル切換操作がされたと検出されたとき（Ｓ２でＹＥＳ）、ＣＰＵ１７は、チューナ１１に対して現在のＴＵＮＥ動作をキャンセルさせて（Ｓ３）、チューナ１１を、切換えられた別チャンネルに対応の信号を抽出するためのＴＵＮＥ動作を開始させるよう制御する（ステップＳ１）。
【００２９】
チャンネル切換操作が検出されなければ、ＣＰＵ１７は、Ｓ４で、ＴＵＮＥ動作が完了してＥＰＧ情報の獲得が完了するか否かを確認する。当該獲得が完了するまでの間、上記のＳ１〜Ｓ３の処理が繰返される。
【００３０】
ＴＵＮＥ動作が完了してＥＰＧ情報の獲得が完了すると（Ｓ４でＹＥＳ）、ＣＰＵ１７は、Ｓ５で、表示部３に表示する番組の番組情報を、番組とともに表示部３に表示させて、Ｓ６に処理を進める。このとき、表示部３では、図３（Ａ）に示すように、番組を表示する画面３０の一部に番組情報であるチャンネル情報３１が表示されている。なお、表示部３では、チャンネル情報３１の表示は、所定時間（５秒等）が経過すると、図３（Ｂ）に示すように、画面３０から消える。
【００３１】
なお、Ｓ４で取得したＥＰＧ情報に、放送時間のずれの情報が含まれる場合には、Ｓ５の処理の結果、表示部３には、図４（Ａ）に示すように、表示部３の画面３０内に、チャンネル情報３１およびずれ時間情報３２が表示される。ずれ時間情報とは、表示部３において表示されているチャンネルの放送のずれの時間を示す情報である。図４（Ａ）では、一例として、ずれている分数が示されている。なお、図４（Ａ）で示したようなチャンネル情報３１およびずれ時間情報３２も、所定時間が経過すると、図４（Ｂ）に示すように、画面３０から消える。なお、Ｓ５の処理における放送時間のずれの情報を表示する際の処理については、後述する番組配列情報受信処理（図５参照）と同様である。
【００３２】
Ｓ６では、ＣＰＵ１７は、番組配列情報受信処理を行なう。番組配列情報受信処理とは、表示部３に表示しているチャンネルについて、ＥＰＧ情報を受信することにより、当該ＥＰＧ情報から放送時間（番組配列）にずれがあるか否かの判断等を行なう処理である。
【００３３】
次に、Ｓ７で、ＣＰＵ１７は、表示部３における表示を中止させる旨の指示を操作部１４の操作またはリモコン４を用いたリモコン受信部１５から受付けたか否かを判断する。受付けたと判断すると、そのまま処理を終了し、まだそのような指示は受付けていないと判断すると、Ｓ８に処理を進める。
【００３４】
Ｓ８では、ＣＰＵ１７は、Ｓ２と同様に、チャンネル切換操作がされたか否かを判断し、されたと判断すればＳ９で切替え後のチャンネルについてのＴＵＮＥ動作を行なった後Ｓ５に処理を戻し、されていないと判断すればそのままＳ５に処理を戻す。
【００３５】
図５は、Ｓ６の番組配列情報受信処理のサブルーチンのフローチャートである。
【００３６】
番組配列情報受信処理では、ＣＰＵ１７は、まず、Ｓ６１で、受信装置１において電源が投入された際に最初に入手したＥＰＧ情報に含まれる番組配列情報（ＳＩ：Ｓｅｒｖｉｃｅ　Ｉｎｆｏｒｍａｔｉｏｎ）を基準とし、そして、現時点で受信したＥＰＧ情報に含まれるＳＩのｖｉｒｓｉｏｎ　ｎｕｍｂｅｒが更新されたか否かを判断する。更新されていないと判断すると、そのままリターンする。一方、更新されていると判断すると、Ｓ６２に処理を進める。
【００３７】
Ｓ６２では、ＣＰＵ１７は、基準のＳＩと現時点のＳＩにおける、現在放送中の番組（現在表示部３に表示している番組）の開始時間の差Ａを算出する。
【００３８】
次に、ＣＰＵ１７は、Ｓ６３で、Ａが０でないか、つまり、開始時間に変更があったか否かを判断する。そして、変更があった場合には、Ｓ６４に処理を進め、変更がなかった場合には、Ｓ６５に処理を進める。
【００３９】
Ｓ６４では、ＣＰＵ１７は、Ａをずれ時間としてメモリ１８に保存し、かつ、当該ずれ時間をずれ時間情報３２（図４（Ａ）参照）等のように表示して、リターンする。
【００４０】
Ｓ６５では、基準のＳＩと現時点のＳＩにおける、現在放送中の番組の時間長（放送時間の長さ）の差Ｂを算出する。
【００４１】
次に、ＣＰＵ１７は、Ｓ６６で、Ｂが０でないか、つまり、時間長に変更があったか否かを判断する。そして、変更があった場合には、Ｓ６７で、Ｂをずれ時間としてメモリ１８に保存するとともにずれ時間情報３２等のようにして表示した後リターンする。一方、変更がなかった場合には、そのままリターンする。
【００４２】
以上説明した本実施の形態では、表示部３において番組を表示している期間中、常に、番組配列情報受信処理が実行されている。これにより、表示部３に番組の表示を開始させた時点では放送時間のずれがなかった場合であっても、放送時間のずれが検知された時点で、当該ずれに関する情報が表示部３に表示される。具体的には、図６（Ａ）に示すように、表示部３の画面３０に番組のみが表示されている状態から、ずれが検知された時点で、図６（Ｂ）に示すように、表示部３の画面３０内に、番組とともに、ずれ時間情報３２が表示される。なお、ずれ時間情報３２は、一定時間後表示が終了する。このため、一定時間後、図６（Ｃ）に示すように、表示部３の画面３０からずれ時間情報３２が消える。
【００４３】
また、Ｓ８で、チャンネル切換操作を検知した後に、Ｓ９を経てＳ６の処理が行なわれ、ずれ時間が検知された際には、表示部３では、図７（Ａ）に示すような画面３０から、図７（Ｂ）に示すように、切換後のチャンネルのチャンネル情報３１とずれ時間情報３２とを含む画面３０に表示が切換わる。なお、図７（Ｂ）に示したチャンネル情報３１とずれ時間情報３２とは、一定時間経過すると、図７（Ｃ）に示すように画面３０から消える。
【００４４】
［第２の実施の形態］
図８は、本発明の第２の実施の形態である受信装置１の構成を周辺部とともに示す図である。本実施の形態の受信装置１は、第２の実施の形態の受信装置１に加えて、さらに、ハードディスク等の受信装置１に内蔵の記録媒体、または、ＤＶＤ−ＲＡＭ（Ｄｉｇｉｔａｌ　Ｖｅｒｓａｔｉｌｅ　Ｄｉｓｋ　Ｒａｎｄｏｍ　Ａｃｃｅｓｓ　Ｍｅｍｏｒｙ）等の受信装置１に対して着脱可能な記録媒体に映像等の情報を記録する記録部２０を備えている。記録部２０への情報の記録は、ユーザによる操作部１４の操作またはリモコン４を用いたリモコン受信部１５を介した出力に基づいて選択されたチャンネルおよび番組の情報が、表示部３に表示させる情報とは別にアンテナ２を介して取得されることにより、行なわれる。なお、受信装置１では、予め決まった番組の記録を予約できる、いわゆる予約録画も可能である。
【００４５】
そして、本実施の形態では、記録部２０において記録されているチャンネルについても、表示部３に表示する同様に、図５に示したような態様でずれ時間が検知される。そして、ずれ時間が検知されれば、記録されているチャンネルについても、第１の実施の形態において説明したような表示部３に表示されているチャンネルについての表示と同様に、画面３０内でずれ時間情報３２およびチャンネル情報３１の表示が行なわれる。なお、記録部２０において記録されているチャンネルについての表示は、表示部３において表示されているチャンネルについての表示と区別すべく、色等が異なるように行なわれても良い。
【００４６】
また、以上説明した各実施の形態で表示させたずれ時間情報３２およびチャンネル情報３１は、画面３０内にアイコン等で表示されても良いし、画面３０と同時に視認可能であれば受信装置１の図示されないフロントパネルに設けられたＬＥＤ（Ｌｉｇｈｔ　Ｅｍｉｔｔｉｎｇ　Ｄｉｏｄｅ）等の表示装置で表示されてもよい。
【００４７】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４８】
【発明の効果】
以上説明した本発明によると、表示装置に表示される番組の放送時間が予定の時間からずれている場合には、その旨に対応する情報が、番組の画像の表示画面と同時に視認可能に表示される。これにより、ユーザに、有益な情報を容易に理解できるような態様で与えることができる。
【００４９】
なお、放送時間のずれについての情報が、表示画面に番組の画像情報とともに表示することもできるため、ユーザは、より容易に、有益な情報を理解できるようになる。
【００５０】
また、放送時間のずれについての情報は、一定時間のみ表示されるため、番組の画像情報を視聴するユーザに対する不快感を抑えることができる。
【００５１】
また、放送時間のずれについての情報は、選局されるチャンネルが変更されるたびに実施されるため、ユーザに対して、確実に、有益な情報を与えることができる。
【００５２】
また、録画する番組についても、放送時間のずれについての情報が、表示装置に表示され、ユーザに、さらに有益な情報が与えられる。
【図面の簡単な説明】
【図１】本発明の第１の実施の形態である受信装置の構成を周辺部とともに示す図である。
【図２】図１のＣＰＵの表示制御処理のフローチャートである。
【図３】図１の表示部における表示例を示す図である。
【図４】図１の表示部における表示例を示す図である。
【図５】図２の番組配列情報受信処理のサブルーチンのフローチャートである。
【図６】図１の表示部における表示例を示す図である。
【図７】図１の表示部における表示例を示す図である。
【図８】本発明の第２の実施の形態である受信装置の構成を周辺部とともに示す図である。
【符号の説明】
１　受信装置、２　アンテナ、３　表示部、４　リモコン、１１　チューナ、１２　制御部、１３　受信処理部、１４　操作部、１５　リモコン受信部、１６表示処理部、１７　ＣＰＵ、１８　メモリ、１９　演算部、２０　記録部、３０　画面、３１　チャンネル情報、３２　ずれ時間情報。
【図１】
2004120388.tif 000003
【図２】
2004120388.tif 000004
【図３】
2004120388.tif 000005
【図４】
2004120388.tif 000006
【図５】
2004120388.tif 000007
【図６】
2004120388.tif 000008
【図７】
2004120388.tif 000009
【図８】
2004120388.tif 000010